(57)【要約】      （修正有）【課題】点眼用の照準器において、全てのユーザーが簡単かつ正確に目薬を目の中心に滴下できる構造とする。【解決手段】点眼用の照準器１００は、目薬９を充填してなる目薬容器１０に連結されるケーシング１と、ケーシング１に固定されて目薬容器１０の底から目薬９を透過して注液孔１２に向かって可視光線を照射するＬＥＤ２と、ケーシング１に設けられてＬＥＤ２に電力を供給して発光させる電池３とを備える。【選択図】図１
2019071987.tif 000002
【特許請求の範囲】
【請求項１】
目薬を充填してなる目薬容器に連結されるケーシングと、
前記ケーシングに固定されて目薬容器の底から目薬を透過して注液孔に向かって可視光線を照射するＬＥＤと、
前記ケーシングに設けられて前記ＬＥＤに電力を供給して発光させる電池とを備えてなることを特徴とする点眼用の照準器。
【請求項２】
請求項１に記載される点眼用の照準器であって、
前記ケーシングが脱着自在に目薬容器に連結されることを特徴とする点眼用の照準器。
【請求項３】
請求項１又は２に記載される点眼用の照準器であって、
前記ＬＥＤと前記電池との間に、ＬＥＤを点灯し、また消灯するスイッチを接続しており、
前記スイッチが、
前記注液孔を下向きとすると前記ＬＥＤを点灯し、あるいは目薬容器の振動を検出して前記ＬＥＤを点灯するスイッチであることを特徴とする点眼用の照準器。
【請求項４】
請求項１ないし３のいずれかに記載される点眼用の照準器であって、
前記ケーシングが両面接着テープを介して目薬容器に連結されることを特徴とする点眼用の照準器。
【請求項５】
請求項４に記載される点眼用の照準器であって、
前記両面接着テープは、第１の接着面の接着力よりも第２の接着面の接着力が弱く、前記第１の接着面が前記ケーシングに接着され、前記第２の接着面が目薬容器に剥離自在に接着されることを特徴とする点眼用の照準器。
【請求項６】
請求項１ないし３のいずれかに記載される点眼用の照準器であって、
前記ケーシングが弾性アームを介して目薬容器に脱着自在に連結されてなることを特徴とする点眼用の照準器。
【請求項７】
請求項１ないし６のいずれかに記載される点眼用の照準器であって、
前記ＬＥＤが集光レンズを備えることを特徴とする点眼用の照準器。
【請求項８】
目薬を充填してなる目薬容器と、前記目薬容器に装着される点眼用の照準器とを備える目薬の点眼装置であって、
前記目薬容器が、
目薬を収容する容器本体と、
前記容器本体に開口された開口部に固定されて、前記容器本体内の目薬を外部に滴下させる注液孔を有する中栓とを備え、
前記照準器が、
前記目薬容器に連結されるケーシングと、
前記ケーシングに固定されて前記目薬容器の底から目薬を透過して前記注液孔に向かって可視光線を照射するＬＥＤと、
前記ケーシングに設けられて前記ＬＥＤに電力を供給して発光させる電池とを備え、
前記照準器が、前記目薬容器の底面に連結されて、前記ＬＥＤから照射される可視光線を前記注液孔に向かって照射するようにしてなることを特徴とする目薬の点眼装置。
【発明の詳細な説明】
【技術分野】
【０００１】
本発明は、目薬を目に正確にさすための点眼用の照準器とこの照準器を備える目薬の点眼装置に関する。
【背景技術】
【０００２】
点眼用の照準器は開発されている（特許文献１参照）。
従来の点眼用の照準器を図４に示す。この図の照準器は、注液孔９５に接近してＬＥＤ９２を固定している。ＬＥＤ９２を発光させる電池９３とスイッチ９４も目薬容器９１に固定している。この照準器は、スイッチ９４をオン状態としてＬＥＤ９２を発光させて、注液孔９５から目に点眼する。
【先行技術文献】
【特許文献】
【０００３】
【特許文献１】アメリカ特許第５５５８６５３号
【発明の概要】
【発明が解決しようとする課題】
【０００４】
図４に示す従来の点眼用の照準器は、ＬＥＤ９２を点光源の照準として点眼する。この照準器は、ＬＥＤ９２の点光源が注液孔９５とは異なる位置にあるので、ユーザーは点光源のＬＥＤ９２を目の中心に接近して点眼すると、目薬９０が目の中心からずれた位置に滴下される。目薬を正確に目の中心に滴下するには、ＬＥＤ９２を目の中心からずらせた位置に配置して、目薬９０を滴下する必要があるが、この状態で点眼するには、ＬＥＤ９２の位置を微妙に目の中心からずらせた位置に調整する必要があり、さらにこの調整には個人差があるので、全てのユーザーが目薬を目の中心に正確に滴下するのは極めて難しい欠点がある。
【０００５】
本発明は以上の欠点を解消することを目的として開発されたもので、本発明は、全てのユーザーが簡単かつ正確に目薬を目の中心に滴下できる点眼用の照準器とこの照準器を備える目薬の点眼装置を提供することにある。
【課題を解決するための手段及び発明の効果】
【０００６】
本発明の点眼用の照準器は、目薬９を充填してなる目薬容器１０に連結されるケーシング１と、ケーシング１に固定されて目薬容器１０の底から目薬９を透過して注液孔１２に向かって可視光線を照射するＬＥＤ２と、ケーシング１に設けられてＬＥＤ２に電力を供給して発光させる電池３とを備えている。
【０００７】
以上の点眼用の照準器は、目薬容器を目の上に配置し、注液孔を下向きとして目に接近させると、ＬＥＤの可視光線が注液孔を照射して明るい点光源として明確に表示する。したがって、ユーザーは点光源を目に接近させて点眼することで、目薬を外部に漏らすことなく、正確に目にさすことができる特徴がある。とくに、以上の照準器は、専用の照準を設けることなく、注液孔を照準に兼用して明るい点光源とするので、極めて簡単な構造としながら、目薬を滴下する注液孔を明るくて明瞭な照準として点眼できる。このため、誰もが簡単かつ正確に目薬を目にさすことができる特徴を実現する。
【０００８】
本発明の点眼用の照準器は、ケーシング１を脱着自在に目薬容器１０に連結することができる。
【０００９】
本発明の点眼用の照準器は、ＬＥＤ２と電池３との間に、ＬＥＤ２を点灯し、また消灯するスイッチ４を接続することができる。このスイッチ４は、注液孔１２を下向きとするとＬＥＤ２を点灯し、あるいは目薬容器１０の振動を検出してＬＥＤ２を点灯することができる。
【００１０】
本発明の点眼用の照準器は、ケーシング１を、両面接着テープ５を介して目薬容器１０に連結することができる。
【００１１】
本発明の点眼用の照準器は、両面接着テープ５の第１の接着面５Ａの接着力よりも第２の接着面５Ｂの接着力が弱く、第１の接着面５Ａをケーシング１に接着し、第２の接着面５Ｂを目薬容器１０に剥離自在に接着することができる。
【００１２】
本発明の点眼用の照準器は、ケーシング１を、弾性アーム６を介して目薬容器１０に脱着自在に連結することができる。
【００１３】
本発明の点眼用の照準器は、ＬＥＤ２が集光レンズ２Ａを備えることができる。
【００１４】
本発明の目薬の点眼装置は、目薬９を充填してなる目薬容器１０と、目薬容器１０に装着される点眼用の照準器１００とを備えている。目薬容器１０は、目薬９を収容する容器本体１１と、容器本体１１に開口された開口部１１Ｃに固定されて、容器本体１１内の目薬９を外部に滴下させる注液孔１２を備える中栓１３とを備えている。照準器１００は、目薬容器１０に連結されるケーシング１と、ケーシング１に固定されて目薬容器１０の底から目薬９を透過して注液孔１２に向かって可視光線を照射するＬＥＤ２と、ケーシング１に設けられてＬＥＤ２に電力を供給して発光させる電池３とを備えている。点眼装置は、照準器１００が、目薬容器１０の底面１１Ａに連結されて、ＬＥＤ２から照射される可視光線を注液孔１２に向かって照射している。
【００１５】
以上の目薬の点眼装置は、目薬が収容された目薬容器の底面に連結された照準器のＬＥＤから照射される可視光線を注液孔に向かって照射することで、注液孔を明るい点光源として明確に表示できる。したがって、ユーザーは点光源を目に接近させて点眼することで、簡単かつ正確に目薬を目にさすことができる。
【図面の簡単な説明】
【００１６】
【図１】本発明の一実施形態にかかる点眼用の照準器の一部拡大断面図である。
【図２】本発明の他の実施形態にかかる点眼用の照準器の断面図である。
【図３】図１に示す点眼用の照準器の使用状態を示す断面図である。
【図４】従来の点眼用の照準器の断面図である。
【発明を実施するための形態】
【００１７】
以下、本発明の実施の形態を図面に基づいて説明する。ただし、以下に示す実施の形態は、本発明の技術思想を具体化するための構成を例示するものであって、本発明は以下のものに特定されない。また、特許請求の範囲に示される部材を、実施の形態の部材に特定するものでは決してない。特に実施の形態に記載されている構成部材の寸法、材質、形状、その相対的配置等は、特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００１８】
図１に示す点眼用の照準器１００は、目薬９を充填している目薬容器１０の底面１１Ａに連結されるケーシング１と、ケーシング１に固定されて、目薬容器１０の底から目薬９を透過して注液孔１２に向かって可視光線を照射するＬＥＤ２と、ケーシング１に内蔵されて、ＬＥＤ２に電力を供給して発光させる電池３とを備える。
【００１９】
ケーシング１はプラスチック製で、内部にＬＥＤ２と電池３とスイッチ４とを内蔵している。図１の断面図に示すケーシング１は目薬容器１０の底面１１Ａに固定される。このケーシング１は、上端にＬＥＤ２を内蔵して、ＬＥＤ２の下に電池３を配置し、さらに電池３の下にスイッチ４を配置している。
【００２０】
図１のケーシング１は、両面接着テープ５を介して目薬容器１０の底面１１Ａに固定される。この照準器１００は、目薬容器１０に対して動かない状態で固定できる。また、両面接着テープ５には、剥離できる両面テープを使用して、固定する目薬容器１０を簡単に交換することができる。この両面接着テープ５は、例えば、図１の一部拡大図に示すように、ケーシング１に接着される第１の接着面５Ａの接着力よりも、目薬容器１０の底面１１Ａに接着される第２の接着面５Ｂの接着力を弱くして、第２の接着面５Ｂを目薬容器１０に対して剥離自在に接着されるようにする。これにより、照準器１００を目薬容器１０から取り外す際には、両面接着テープ５が第１の接着面５Ａで剥離されることなく、第２の接着面５Ｂで剥離される。このため、両面接着テープ５は、第１の接着面５Ａを介してケーシング１に接着された状態に保持され、目薬容器１０に接着された状態で残存することがない。したがって、目薬容器１０から取り外された照準器１００は、第１の接着面５Ａでケーシング１に接着された両面接着テープ５の第２の接着面５Ｂを介して、所望の目薬容器１０に簡単に連結できる。この照準器１００は、目的や用途に応じて目薬容器１０を簡単に交換しながら、便利に使用できる。
【００２１】
図２の照準器１００は、ケーシング１に一対の弾性アーム６を設けている。一対の弾性アーム６は、対向する内側に目薬容器１０を配置し、目薬容器１０を弾性的に挟着して保持する。この照準器１００は、弾性アーム６を変形して目薬容器１０を簡単に脱着できる特徴がある。
【００２２】
ケーシング１は、目薬容器１０に固定される状態で、照射する可視光線が目薬９を透過して注液孔１２を照射する位置にＬＥＤ２を固定している。図１の断面図に示すケーシング１は、正立姿勢で注液孔１２の真下にＬＥＤ２を固定している。このケーシング１は、図３に示すように、注液孔１２を下向きとして注液する倒立姿勢において、ＬＥＤ２が注液孔１２の真上にあって、真下に向かって可視光線を照射する。この照準器１００は、ＬＥＤ２の可視光線が明るく注液孔１２を照射して、注液孔１２を明確なターゲットとして明示できる。ただ、ＬＥＤ２は、必ずしも倒立姿勢の目薬容器１０の注液孔１２の真上に配置する必要はない。それは、ＬＥＤ２の可視光線が所定の放射角で照射するので、真上からずれた位置に配置されるＬＥＤ２も、注液孔１２を照射できるからである。ＬＥＤ２はケーシング１を透過して可視光線を目薬容器１０に照射するので、ケーシング１は、可視光線を透過させる透過部７を設けている。図に示す透過部７は、ケーシング１の上面に開口された貫通孔としている。ただ、透過部は、ケーシングを透光性のプラスチックで成形して、あるいは、ケーシングの上面に部分的に透光部を設けて構成することもできる。
【００２３】
ＬＥＤ２は、可視光線を集光して注液孔１２を照射する。ＬＥＤ２の発光色は白色が適しているが、赤色、緑色、青色のＬＥＤ２も使用できる。ＬＥＤ２は、点光源の発光チップ２Ｂの前面に、凸レンズを集光レンズ２Ａとして配置している。凸レンズは発光チップ２Ｂから照射される可視光線を所定の照射角に集光して注液孔１２を照射する。本発明の照準器は、ＬＥＤ２で注液孔１２を明るい点状に照射する。ユーザーは明るい注液孔１２をターゲットとして注液孔１２を目の真上に配置することで、目薬９を正確に目に滴下できる。ＬＥＤ２は、半径を１ｍｍ程度とする注液孔１２を照射するので、放射角を極めて小さくして、注液孔１２を明るく照射できる。ただ、照準器は、注液孔１２のみでなく、注液孔１２の周囲をＬＥＤ２で照射して、注液孔１２をターゲットとして明確に確認できるので、注液孔１２の近傍を照射する広い放射角とすることもでき、さらに、凸レンズの集光レンズを設けないＬＥＤで広い範囲に可視光線を照射して、注液孔をターゲットとして確認することもできる。
【００２４】
電池３は小さいボタン電池３Ａが使用できる。ボタン電池３Ａの出力電圧は、ＬＥＤ２を発光できる電圧に設定される。図の照準器１００は、複数のボタン電池３Ａを直列に設定して出力電圧をＬＥＤ２の発光電圧としている。ＬＥＤ２の消費電力が極めて小さく、また使用時間も極めて短いので、小型のボタン電池３Ａを交換できない構造でケーシング１に内蔵している。照準器１００は、電池３を交換することなく、複数の目薬容器１０に取り替えて使用できる。ケーシング１に交換できない構造で内蔵される電池３は、ケーシング１から取り出されて種々の弊害の原因となることがなく、安全に使用できる。ただ、電池３を交換できるようにケーシング１に内蔵することもできるのは言うまでもない。
【００２５】
ＬＥＤ２と電池３との間にはスイッチ４を接続している。ＬＥＤ２はスイッチ４のオン状態で発光し、オフ状態で消灯する。スイッチ４は、照準器１００を下向きにする状態でオン状態、それ以外の姿勢でオフ状態となるものが使用できる。下向きの垂直姿勢でオン状態となるスイッチは、図示しないが、例えば弾性体の先端に可動接点を固定し、可動接点の対向位置に固定接点を配置し、下向きの垂直姿勢においては、可動接点が自重で降下して固定接点に接触してオン状態となり、下向きの垂直姿勢以外の姿勢では、弾性体の復元力で可動接点を固定接点から離してオフ状態となるスイッチが使用できる。このスイッチは、例えば、弾性体の先端に電池を固定し、この電池の自重で弾性体を弾性変形させることができる。ただ、垂直姿勢でオン状態となるスイッチは、現在既に市販されているスイッチも使用できる。
【００２６】
さらに、スイッチ４には、振動を検出して一定時間はオン状態となるスイッチも使用できる。このスイッチは、先端が自由に往復運動できる弾性体の先端に永久磁石が固定され、永久磁石の周囲には永久磁石に非接触状態にコイルが配置され、コイルには誘導される交流を増幅するアンプが接続され、アンプには出力信号のレベルが設定値を越えるとカウントを開始して設定時間経過するカウントを停止するタイマーが接続され、タイマーがカウントしている時間帯にオン状態となるスイッチが使用できる。
【００２７】
以上のように、姿勢や振動でオン状態に切り換えられるスイッチ４は、ユーザーが使用する状態でＬＥＤ２が自動的に点灯するので、便利に使用できる。ただ、スイッチには手動でオンオフに切り換えられるスイッチも使用できる。
【００２８】
以上の点眼用の照準器１００は、目薬容器１０に連結されて、目薬９を目の正確な位置に滴下することができる。とくに、以上の照準器１００は、目薬容器１０の注液孔１２を照準に兼用してＬＥＤ２から照射される光を明るい点光源とするので、注液孔１２を明るくて明瞭な照準として誰もが簡単かつ正確に点眼できる。照準器１００が連結される目薬容器１０には、現在既に使用され、あるいは今後開発される全てのものが使用できる。
【００２９】
さらに、以上の照準器１００を目薬容器２０に連結して目薬の点眼装置とすることができる。照準器１００が装着される目薬容器１０は、図１〜図３に示すように、目薬９を収容する容器本体１１と、容器本体１１に開口された開口部１Ｃに固定されて、容器本体１１に充填された目薬９を外部に滴下させる注液孔１２を有する中栓１３とを備えている。この点眼装置は、照準器１００が目薬容器１０の底面１１Ａに連結されており、照準器１００のＬＥＤ２から照射される可視光線を中栓１３の注液孔１２に向かって照射するようにしている。
【００３０】
照準器１００が連結される目薬容器１０の一例を図１〜図３に示す。これらの図に示す目薬容器２０は、目薬９が充填される容器本体１１を、幅よりも厚さが薄い形状とすると共に、図１に示す正立姿勢における上端に開口部１１Ｃを設けて、この開口部１１Ｃを中栓１３で閉塞している。図１に示す容器本体１１は、正面視における形状を、コーナー部を切除してなる略正方形状としている。さらに、容器本体１１は、注液側に円筒状の筒部１１Ｂを一体的に設けており、この筒部１１Ｂの先端に開口部１１Ｃを設けて、この開口部１１Ｃに中栓１３を固定している。容器本体１１に設けた筒部１１Ｂは、図示しないが、外周面に沿ってネジ山を設けて、このネジ山にキャップをねじ込んで着脱自在に装着することができる。
【００３１】
容器本体１１は、透光性を有する材料、例えば、ガラスやプラスチックで成形している。これにより、内部に収納される目薬９の残量を目視して確認できるようにしている。さらに、全体を透光性を有する構造とすることで、底面１１Ａに配置される照準器１００のＬＥＤ２から照射される可視光線を透過できるようにしている。容器本体１１は、無色透明とすることもできるが、内部を目視できる程度に着色することもできる。
【００３２】
中栓１３は、プラスチックで成形されており、容器本体１１に一体成形された円筒状の筒部１１Ｂの先端に圧入されて開口部１１Ｃを閉塞している。これにより、容器本体１１に充填された目薬９が、意図しない状態で外部にこぼれるのを防止している。中栓１３は、中心に注液孔１２が開口されており、図３に示すように、注液孔１２を下向きとする目薬容器１０の倒立姿勢において、容器本体１１の内部に充填された目薬９をこの注液孔１２に通過させて滴下させて注ぐことができるようにしている。
【００３３】
さらに、中栓は、照準器のＬＥＤから照射される可視光線を透過させる透光性を有することもできる。この中栓は、全体が透光性を有するように成形することができ、あるいは、部分的に透光性を有する構造とすることもできる。部分的に透光性を有する構造の中栓は、例えば、平面視において注液孔を中心とする円形や多角形状に透光性を有する構造とすることができる。
【００３４】
以上の点眼装置は、照準器１００が、目薬容器１０の底面１１Ａに連結されており、点眼時にはＬＥＤ２から注液孔１２に向かって可視光線を照射する。この点眼装置は、図３に示すように、目薬をさす際には、照準器１００のＬＥＤ２から照射される光によって中栓１３に開口された注液孔１２がユーザーに対して明るい点光源として明確に表示される。このため、ユーザーは注液孔１２を凝視することで、目薬９の落下位置を確認しながら簡単かつ確実に点眼できる。
【産業上の利用可能性】
【００３５】
本発明の点眼用の照準器は、目薬容器に連結されて、目薬を目の正確な位置に滴下するのに便利に使用できる。
【符号の説明】
【００３６】
１００…照準器
１…ケーシング
２…ＬＥＤ
２Ａ…集光レンズ
２Ｂ…発光チップ
３…電池
３Ａ…ボタン電池
４…スイッチ
５…両面接着テープ
５Ａ…第１の接着面
５Ｂ…第２の接着面
６…弾性アーム
７…透過部
９…目薬
１０…目薬容器
１１…容器本体
１１Ａ…底面
１１Ｂ…筒部
１１Ｃ…開口部
１２…注液孔
１３…中栓
９０…目薬
９１…目薬容器
９２…ＬＥＤ
９３…電池
９４…スイッチ
９５…注液孔
【図１】
2019071987.tif 000003
【図２】
2019071987.tif 000004
【図３】
2019071987.tif 000005
【図４】
2019071987.tif 000006